(57)【要約】      （修正有）【課題】観察者が天井面への映り込みに気をとられることなく、反射スクリーン上に映し出された映像に集中して、快適に鑑賞することが可能なスクリーン筐体、若しくは、映像表示システムを供給する。【解決手段】映像源４から投射された映像光を反射させて観察可能に表示する反射スクリーン３と照明装置２を備えたスクリーン筐体１であって、前記照明装置２の発光部２１は、前記映像源４から前記反射スクリーン３に前記映像光が入射する角度と概ね等しい角度で反射する前記映像光によって生じる映り込み５０の少なくとも一部を照明可能に設けられており、且つ、観察者８及び前記反射スクリーン３の表示面を直接照明することがない様に設けられている事を特徴とするスクリーン筐体、及び、映像表示システムとする。【選択図】図１
2015212766.tif 000002
【特許請求の範囲】
【請求項１】
映像源（４）から投射された映像光を反射させて観察可能に表示する反射スクリーン（３）と照明装置（２）を備えたスクリーン筐体（１）であって、
前記照明装置（２）の発光部（２１）は、
前記映像源（４）から前記反射スクリーン（３）に前記映像光が入射する角度と概ね等しい角度で反射する前記映像光によって生じる映り込み（５０）の少なくとも一部を照明可能に設けられており、
且つ、観察者（８）及び前記反射スクリーン（３）の表示面を直接照明することがない様に設けられている事を特徴とするスクリーン筐体。
【請求項２】
映像源（４）と、前記映像源（４）から投射された映像光を反射させて観察可能に表示する反射スクリーン（３）と照明装置（２）を備えた映像表示システム（４０）であって、
前記照明装置（２）の発光部（２１）は、
前記映像源（４）から前記反射スクリーン（３）に前記映像光が入射する角度と反射する角度が概ね等しい前記映像光によって生じる映り込み（５０）の少なくとも一部を照明可能に設けられており、
且つ、観察者（８）及び前記反射スクリーン（３）の表示面を直接照明することがない様に設けられている事を特徴とする映像表示システム。
【請求項３】
映像源（４）と、前記映像源（４）から投射された映像光を反射させて観察可能に表示する反射スクリーン（３）と照明装置（２）を備え、少なくとも前記反射スクリーン（３）上部に天井面（９）を有する場所に設置される映像表示システム（４０）であって、
前記映像源（４）は、前記反射スクリーンの下端（３７）より低い位置に設けられ、
前記照明装置（２）の発光部（２１）は、前記反射スクリーン（３）の表示面より背面側、且つ、前記反射スクリーンの上端（３６）より下側に設けられ、
前記映像源（４）から前記反射スクリーン（３）に前記映像光が入射する角度と概ね等しい角度で反射する前記映像光によって、前記天井面（９）に生じる映り込み（５０）の少なくとも一部を照明可能に設けられており、
且つ、観察者（８）及び反射スクリーン（３）の表示面を直接照明することがない様に設けられている事を特徴とする映像表示システム。
【請求項４】
映像源（４）と、前記映像源（４）から投射された映像光を反射させて観察可能に表示する反射スクリーン（３）と照明装置（２）を備え、少なくとも前記反射スクリーン（３）上部に天井面（９）を有する場所に設置される映像表示システム（４０）であって、
前記映像源（４）は、前記反射スクリーンの下端（３７）より低い位置に設けられ、
前記照明装置（２）の発光部（２１）は、
前記映像源（４）から前記反射スクリーン（３）に前記映像光が入射する角度と概ね等しい角度で反射する前記映像光によって、前記天井面（９）に生じる映り込み（５０）の少なくとも一部を照明可能に設けられており、
且つ、観察者（８）及び反射スクリーン（３）の表示面を直接照明することがない様に遮光フードが設けられている事を特徴とする映像表示システム。
【発明の詳細な説明】
【技術分野】
【０００１】
本発明は、映像源から投射された映像光を反射させて観察可能に表示する反射スクリーンと照明装置を備えたスクリーン筐体、及び、これを備える映像表示システムに関するものである。
【背景技術】
【０００２】
近年、反射スクリーンに対して至近距離から比較的大きな入射角度で映像光を投写して大画面表示を実現する映像源である短焦点型の映像投射装置（プロジェクタ）等が広く利用されており、このような短焦点型の映像投射装置によって投射された映像光を良好に表示するための反射スクリーン等も開発されている。このような短焦点型の映像投射装置は、反射スクリーンに対して上方又は下方から従来の映像源よりも大きな入射角度で映像光を投射することができ、反射スクリーンを用いた映像表示システムの省スペース化等に寄与している。
【０００３】
このような短焦点型の映像投射装置によって投射された映像光を良好に表示するために、単位レンズが複数配列されて形成されたリニアフルネルレンズ形状やサーキュラーフルネルレンズ形状を有するレンズ層の表面に反射層を形成した反射スクリーンなどが様々に開発されている。
【０００４】
一方で、このような反射スクリーンの下方であって反射スクリーンに対して至近距離から大きな入射角で映像光を投射する短焦点型映像源を使用する映像表示システムでは、映像光の一部が、反射スクリーンの映像源側表面で反射して天井面に到達することで、天井面に映像が移りこむ場合がある。このような天井面への映像の映り込みは、照射された映像が動画である場合には、天井面の映り込みが映像に伴って動くことにより、観察者の気を引くことで反射スクリーンに投影された映像に集中できず、快適な観賞の妨げになっていた。
【０００５】
特許文献１には映像源から投影された映像光を反射させて観察可能に表示する反射スクリーンであって、レンズ面と非レンズ面とを有し背面側に凸となる単位レンズが複数配列されたフレネルレンズ形状を背面側に有するレンズ層と、少なくとも前記単位レンズの前記レンズ面に形成され、光を反射する反射層と、前記映像源側に設けられ、映像源側の面に微細凹凸形状が形成されている表面層と、を備え、前記表面層は、そのヘイズ値Ｈが、２０％≦Ｈ≦４０％を満たすことを特徴とする反射スクリーンとすることで天井面への映り込みの低減が試みられている。
【０００６】
また、特許文献２では、映像源から投射された映像光を反射させて観察可能に表示する反射スクリーンであって、レンズ面と非レンズ面とを有し背面側に凸となる単位レンズが複数配列されたフレネルレンズ形状を背面側に有するレンズ層と、少なくとも前記単位レンズの前記レンズ面に形成され、光を反射する反射層と、映像源側の面に映像源側に凸となる単位表面レンズが、該反射スクリーンの画面上下方向を長手方向として画面左右方向に複数配列されたレンチキュラーレンズ形状を有し、該反射スクリーンの映像源側配置される表面レンズ層とを備え、前記フレネルレンズ形状の光学的中心は、該反射スクリーンの画面外に位置し前記単位表面レンズは、配列方法における幅の寸法がレンズ高さの寸法以上であることを特徴とする反射スクリーンとすることで天井面への映像の映り込みの低減を試みている。
【先行技術文献】
【特許文献】
【０００７】
【特許文献１】特開２０１３−１３０８３７号公報
【特許文献２】特開２０１３−１７１１１４号公報
【発明の概要】
【発明が解決しようとする課題】
【０００８】
特許文献１、特許文献２のいずれに記載された反射スクリーンも、天井面への映り込みを低減する試みとしては、一定の成果は認められる。すなわち、天井面に映りこんだ像は、輪郭が不鮮明にぼやけ、また、輝度も低下する。しかしながら、映像源から投射された映像光の変化に伴って、天井面への映り込みが変化し動くことが視認されるという点において変化はない。従って、観察者にとって天井面への映り込みがちらついて気を引くという点においては何ら変わるところはない。
【０００９】
本発明で解決しようとする課題は、観察者が天井面への映り込みに気をとられることなく反射スクリーン３上に映し出された映像に集中して快適に鑑賞することが可能なスクリーン筐体、若しくは、映像表示システムを供給することにある。
【課題を解決するための手段】
【００１０】
本発明は、以下の解決手段により、前記課題を解決する。なお理解を容易にするために、本発明の実施形態に対応する符号を付して説明するが、これらに限定されるものではない。
【００１１】
請求項１の発明は、映像源４から投射された映像光を反射させて観察可能に表示する反射スクリーン３と照明装置２を備えたスクリーン筐体１であって、前記照明装置２の発光部２１は、前記映像源４から前記反射スクリーン３に前記映像光が入射する角度と概ね等しい角度で反射する前記映像光によって生じる映り込み５０の少なくとも一部を照明可能に設けられており、且つ、観察者８及び前記反射スクリーン３の表示面を直接照明することがない様に設けられている事を特徴とするスクリーン筐体１である。
【００１２】
加えて本発明の請求項２は、映像源４と、前記映像源４から投射された映像光を反射させて観察可能に表示する反射スクリーン３と照明装置２を備えた映像表示システム４０であって、前記照明装置２の発光部２１は、前記映像源４から前記反射スクリーン３に前記映像光が入射する角度と反射する角度が概ね等しい前記映像光によって生じる映り込みの少なくとも一部を照明可能に設けられており、且つ、前記観察者８及び前記反射スクリーン３の表示面を直接照明することがない様に設けられている事を特徴とする映像表示システム４０である。
【００１３】
加えて本発明の請求項３は、映像源４と、前記映像源４から投射された映像光を反射させて観察可能に表示する反射スクリーン３と照明装置２を備え、少なくとも前記反射スクリーン３上部に天井面９を有する場所に設置される映像表示システム４０であって、前記映像源４は、前記反射スクリーン３の下端３７より低い位置に設けられ、前記照明装置２の発光部２１は、前記反射スクリーン３の表示面より背面側、且つ、前記反射スクリーン３の上端３６より下側に設けられ、前記映像源４から前記反射スクリーン３に前記映像光が入射する角度と概ね等しい角度で反射する前記映像光によって、前記天井面９に生じる映り込み５０の少なくとも一部を照明可能に設けられており、且つ、観察者８及び反射スクリーン３の表示面を直接照明することがない様に設けられている事を特徴とする映像表示システムである。
【００１４】
加えて本発明の請求項４は、映像源４と、前記映像源４から投射された映像光を反射させて観察可能に表示する反射スクリーン３と照明装置２を備え、少なくとも前記反射スクリーン３上部に天井面９を有する場所に設置される映像表示システム４０であって、前記映像源４は、前記反射スクリーンの下端３７より低い位置に設けられ、前記照明装置２の発光部２１は、前記映像源４から前記反射スクリーン３に前記映像光が入射する角度と概ね等しい角度で反射する前記映像光によって、前記天井面９に生じる映り込み５０の少なくとも一部を照明可能に設けられており、且つ、観察者８及び反射スクリーン３の表示面を直接照明することがない様に遮光フードが設けられている事を特徴とする映像表示システムである。
【発明の効果】
【００１５】
本発明に係るスクリーン筐体１、及び、映像表示システム４０は、観察者が天井面９への映り込み画像に気をとられることなくスクリーン上に映し出された映像に集中して快適に鑑賞することが可能なスクリーン筐体１、若しくは、映像表示システム４０とすることが出来る。
【図面の簡単な説明】
【００１６】
【図１】図１は、本実施形態に係るスクリーン筐体、及び、映像表示システムを説明した側面図である。
【図２】図２は、天井面への映り込みの状態を示した写真である。図２の（ａ）は、従来の映像表示システムにおいて、映像源から反射スクリーンに映像光が入射する角度と概ね等しい角度で反射する映像光によって、天井面９映り込みを生じている様子を示したものである。図２の（ｂ）は、本実施形態のスクリーン筐体を用いた映像表示システムにより、天井面への映り込みが認識されない様子を示したものである。
【図３】図３は、本実施形態に用いられる反射スクリーンのレンズ層の一例を説明した概略図である。図３の（ａ）は、正面図である。図３の（ｂ）は、図３の（ａ）における反射スクリーン３の観察画面（表示領域）の幾何学的中心となる点を通り、画面上下方向に平行であって、スクリーン面に直交（厚み方向に平行）な断面の一部を拡大して示している拡大断面図である。
【図４】図４は、本実施形態における入射光の挙動を説明した断面図である。
【図５】図５は、本実施形態に係るスクリーン筐体、及び、映像表示システムを説明した斜視図である。図５の（ａ）は、スクリーン筐体の第一の形態を図示したものである。また、図５の（ｂ）は、スクリーン筐体の第二の形態を図示したものである。
【図６】図６は、図５の（ａ）に示した本実施形態に係るスクリーン筐体の第一の形態及び、映像表示システムを説明した側面図である。
【図７】図７は、図５の（ｂ）に示した本実施形態に係るスクリーン筐体の第二の形態及び、映像表示システムを説明した側面図である。
【図８】図８は、図５の（ｂ）に示した本実施形態に係るスクリーン筐体の第二の形態及び、映像表示システムの応用形態を説明した側面図である。
【発明を実施するための形態】
【００１７】
以下、本願発明の実施形態について、図面を用いて以下に詳しく説明する。なお、本願発明は、以下の実施形態に何ら限定されるものではなく、本願発明の目的の範囲内において、適宜変更を加えて実施することができる。なお、図面は概念図であり、説明上の都合に応じて適宜、構成要素の縮尺関係、縦横比等は誇張されていることがある。また、本明細書においては、本発明の主要部である反射スクリーン３、スクリーン筐体１、映像表示システム４０筐等について説明の必要に応じて記載、図示しており、実製品においては、スクリーン筐体１を床面７に保持する脚部、又は、スクリーン筐体１を壁などに保持する接合部、などが必要に応じて設けられる場合が多い。
【００１８】
本実施形態において、便宜的に図面に示したＸ軸方向を左右方向（特に矢印の方向を右）、Ｙ軸方向を上下（特に矢印方向を上）、Ｚ軸方向を前後（特に矢印の方向が前）と呼ぶこととする。定盤を基準として、Ｚ軸の矢印方向を映像源側、若しくは、観察者側と称し、定盤を基準として、Ｚ軸の矢印方向と反対方向を背面側と称する。
【００１９】
また、正面図とは、映像源側（観察者側）から、ＸＹ平面に平行な設置面１６，若しくは、シート状の反射スクリーンを全体的かつ大局的に見た場合において、その平面方向と一致する面（ＸＹ平面に平行な面）を観察した際に得られる図面であり、言い換えれば、ＸＹ平面に平行な反射スクリーン３に立てた法線方向（Ｚ軸方向）から見た形状を示す図面である。
【００２０】
また、本実施形態においては、反射スクリーン３の下方に設けた映像源４から、反射スクリーン３に映像光を投射した場合について説明しているが、反射スクリーンの上方に設けた映像源４から反射スクリーン３に映像光を投射した場合についても上下関係が変わるものの原理的には同一であることは言うまでもない。
【００２１】
＜スクリーン筐体＞
本実施形態におけるスクリーン筐体１は、映像源４から投射された映像光を反射させて観察可能に表示する反射スクリーン３と照明装置２を備えたスクリーン筐体１であって、前記照明装置２の発光部２１は、前記映像源４から前記反射スクリーン３に前記映像光が入射する角度と概ね等しい角度で反射する前記映像光によって生じる映り込み５０（図２参照）の少なくとも一部を照明可能に設けられており、且つ、観察者８及び前記反射スクリーン３の表示面を直接照明することがない様に設けられている事を特徴とするスクリーン筐体１である。
【００２２】
このようなスクリーン筐体１とすることで、映像源４から反射スクリーン３に映像光が入射する角度と反射する角度が概ね等しい映像光によって生じる映り込み５０（図２の（ａ））に照明装置２より照明光を照射することで、映り込み５０の映像が視認されなくなり（図２の（ｂ）、観察者が天井面への映り込み映像に気をとられることなくスクリーン上に映し出された映像に集中して快適に鑑賞することが可能なスクリーン筐体１となる。
【００２３】
また、反射スクリーン３が、短焦点型映像源に対応し、上からの反射スクリーン３に照射される照射光に対しては、下方に反射するか、若しくは、吸収するように設計されていれば、画面のコントラストを大きく低下させることなく、室内を明るくすることが可能となるといった副次的な効果を奏する。すなわち、天井面９に照射された照明装置２からの照明光は、天井面への映り込みを視認し難くすると供に、天井面９にて照り返し観察者８の手元や足元を明るくし、観察者８の安全な歩行を助け、また、観察者８がメモを取る手元を明るくする。
【００２４】
［映り込み］
本実施形態において、映り込み５０は、図１に記載したような映像表示システム４０において、反射スクリーンの下端３７より下に設けた映像源４より投射され、図４のＬ２のように反射表面で入射する角度と概ね等しい角度で反射する映像光Ｌ３によって天井面９に生じた画像であって、図２の（ａ）に示した様に目視される。本映り込み５０は、映像光が動画である場合には、映像光に従って映り込みの画像も変化し、特にスクリーンの上端３６に近い図１に記載した天井面９位置Ｎに形成される映り込み５０は、スクリーンに映しだされた映像を見る際に視界に入りやすい上、スクリーンに近いため鮮明であり、観察者の注意を惹きやすい。
【００２５】
本実施形態は、この天井面９への映り込み５０に対して、照明装置２より照明光を照射することにより、観察者８の気を惹く形態で視認されにくいようにしたものである。これは、同様に視界に入っていたとしても、動く映像よりは静止した映像の方が、また、意味が見出される映像よりは、意味のない単調な像（照明、明かり、影等）の方が、観察者の注意を惹かないといった、人間の視覚に関する認知の特性を利用したものである。
【００２６】
［反射スクリーン］
本実施形態の反射スクリーン３は、映像源４から照射された映像光の一部を観察者８が観察可能となるように反射する機能を有する。短焦点型の映像源４は、反射スクリーン３に対して上方又は下方から従来の映像源４よりも大きな入射角度で映像光を投射するため、短焦点型の映像源４に対して用いられる反射スクリーンは、大きな入射角で投射された映像光に対して小さな反射角で反射される割合多くして、観察者８がより明るく見られるように工夫されている場合が多い。
【００２７】
この反射スクリーン３は、対角８０インチや１００インチ等の大きな画面（表示領域）を有している。本実施形態の反射スクリーン３は、例えば、画面のサイズが対角８０インチサイズ（１７７１×９９６ｍｍ）である。
【００２８】
映像源４から投影された映像光を反射させて観察可能に表示する反射スクリーン３は、図３（ｂ）に記載したように、レンズ面３８と非レンズ面３９とを有し背面側に凸となる単位レンズ３３ａが複数配列されたフレネルレンズ形状を背面側に有するレンズ層３３と、少なくとも前記単位レンズ３３ａの前記レンズ面３８に形成され、光を反射する反射層３２を設けた反射スクリーン３であることが望ましい。
【００２９】
図４は、本実施形態の反射スクリーン３の一例を説明する図である。図４では、反射スクリーン３の観察画面（表示領域）の幾何学的中心となる点を通り、画面上下方向に平行であって、スクリーン面に直交（厚み方向に平行）な断面の一部を拡大して示している。反射スクリーン３は、その映像源側（観察者側）から順に、表面層３５、基材層３４、レンズ層３３、反射層３２、光吸収層３１等を備えている。
【００３０】
基材層３４は、レンズ層３３を形成する基材となるシート状の部材である。この基材層３４の映像源側（観察者側）には、表面層３５が一体に形成され、背面側（裏面側）には、レンズ層３３が一体に形成されている。
【００３１】
基材層３４は、光拡散層３４ｂと、着色層３４ａとを有していてもよい。本実施形態の基材層３４は、光拡散層３４ｂと着色層３４ａが一体に積層されている。光拡散層３４ｂが背面側であり、着色層３４ａが映像源側に位置してもよいし、光拡散層３４ｂが映像源側に位置し、着色層３４ａが背面側に位置する形態としてもよい。
【００３２】
光拡散層３４ｂは、光透過性を有する樹脂を母材とし、光を拡散する拡散材を含有する層である。この光拡散層は、視野角を広げたり、明るさの面内均一性の向上を図ったりする機能を有する。
【００３３】
光拡散層３４ｂの母材となる樹脂は、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂、ＰＥＮ（ポリエチレンナフタレート）樹脂等を用いることができる。この光拡散層３４ｂの厚さは、１００μｍ以上２００μｍ以下であることが望ましい。また、拡散材としては、アクリル系樹脂、エポキシ樹脂、シリコン系等の樹脂製の粒子や無機粒子等であり、その平均粒径が約１μｍ以上５０μｍ以下であるものを使用できる。
【００３４】
本実施形態の光拡散層３４ｂは、一例として、アクリル樹脂製の平均粒径１０μｍの粒子（ガンツ化成株式会社製）を拡散材として含有するＭＢＳ樹脂を押出し成形した厚さ１５０μｍのシート状の部材を用いている。
【００３５】
着色層３４ａは、所定の透過率とするための灰色や黒色等の染料や顔料等により着色が施された層である。本実施形態では、着色層３４ａは、光拡散層３４ｂの映像源側（観察者側）に位置している。この着色層３４ａは、反射スクリーン３に入射する照明光等の不要な外光を吸収したり、表示される映像の黒い部分の輝度を低下させたりして、映像のコントラストを向上させる機能を有する。
【００３６】
着色層３４ａは、例えば、厚さが３０μｍ以上３０００μｍ以下であり、染料や顔料を含有するＰＥＴ樹脂や、ＰＣ樹脂、ＭＳ樹脂、ＭＢＳ樹脂、アクリル系樹脂、ＴＡＣ樹脂、ＰＥＮ樹脂等により形成される。
【００３７】
本実施形態の基材層３４は、光拡散層３４ｂと着色層３４ａとを共押し出しすることにより一体に積層されて形成されている。なお、基材層３４を単層とし、拡散材と顔料や染料等の着色材とを共に含有する形態としてもよい。
【００３８】
図３は、本実施形態のレンズ層３３を説明する図である。図３（ａ）は、レンズ層３３を背面側正面方向から観察した様子を示しており、理解を容易にするために、反射層３２や光吸収層３１は省略して示している。図３（ｂ）は、図４に示す断面の一部をさらに拡大して示している。
【００３９】
レンズ層３３は、基材層３４の背面側に設けられた光透過性を有する層であり、図３（ａ）に示すように、点Ｃを中心として単位レンズ３３ａが同心円状に複数配列されたサーキュラーフレネルレンズ形状をその背面側に有している。この単位レンズ３３ａが配列されて形成されるサーキュラーフレネルレンズは、その光学的中心であるフレネルセンターである点Ｃが、反射スクリーン３の画面（表示領域）の領域外であって、反射スクリーン３の下方に位置している。なお、本実施形態では、レンズ層３３がサーキュラーフレネルレンズ形状を有する例を上げて説明するが、リニアフレネルレンズ形状を有する形態としてもよい。
【００４０】
単位レンズ３３ａは、図３（ｂ）や図４に示すように、スクリーン面に直交する方向（反射スクリーン３の厚み方向）に平行であって、単位レンズ３３ａの配列方向に平行な断面における断面形状が、略三角形状である。
【００４１】
この単位レンズ３３ａは、背面側に凸であり、レンズ面３８と、このレンズ面３８と対向する非レンズ面３９とを備えている。反射スクリーン３の使用状態において、単位レンズ３３ａは、レンズ面３８が頂点を挟んで非レンズ面３９よりも鉛直方向上側に位置している。
【００４２】
単位レンズ３３ａにおいて、図３（ｂ）に示すように、レンズ面３８がスクリーン面に平行な面となす角度は、αであり、非レンズ面３９がスクリーン面に平行な面となす角度は、β（β＞α）である。  また、単位レンズ３３ａの配列ピッチは、Ｐであり、単位レンズ３３ａのレンズ高さ（スクリーンの厚み方向における頂点ｔから単位レンズ３３ａ間の谷底となる点ｖまでの寸法）は、ｈである。  理解を容易にするために、図４等では、単位レンズ３３ａの配列ピッチＰ、角度α，βは、単位レンズ３３ａの配列方向において一定であるように示している。しかし、本実施形態の単位レンズ３３ａは、実際には、配列ピッチＰ等が一定であるが、角度αが単位レンズ３３ａの配列方向においてフレネルセンターとなる点Ｃから離れるにつれて次第に大きくなっている。
【００４３】
なお、これに限らず、角度α等は、一定としてもよいし、配列ピッチＰが、単位レンズ３３ａの配列方向に沿って次第に変化する形態としてもよく、映像光を投影する映像源４の画素（ピクセル）の大きさや、映像源４の投射角度（反射スクリーン３のスクリーン面への映像光の入射角度）、反射スクリーン３の画面サイズ、各層の屈折率等に応じて、適宜変更可能である。
【００４４】
このレンズ層３３は、ウレタンアクリレートやエポキシアクリレート等の紫外線硬化型樹脂により形成されている。なお、レンズ層３３は、電子線硬化型樹脂等の他の電離放射線硬化型樹脂により形成してもよい。
【００４５】
このレンズ層３３は、例えば、基材層３４の一方の面（本実施形態では、光拡散層３４ｂ側の面）を、紫外線硬化型樹脂が充填されたサーキュラーフレネルレンズ形状を賦形する成形型に押圧し、紫外線を照射して硬化させた後に成形型から離型する紫外線成型法等により形成することができる。なお、レンズ層３３の形成方法は、適宜選択してよく、この限りではない。
【００４６】
反射層３２は、光を反射する作用を有する層である。この反射層３２は、少なくともレンズ面３８に形成される。本実施形態の反射層３２は、図３（ｂ）や図４に示すように、レンズ面３８に形成されているが、非レンズ面３９には形成されていない。
【００４７】
反射層３２は、白色又は銀色系の塗料や、白色又は銀色系の顔料やビーズ等を含有する紫外線硬化型樹脂又は熱硬化性樹脂、銀やアルミニウム等の金属蒸着膜や金属箔等を粉砕した粒子や微小なフレークを含む塗料等を、スプレーコートや、ダイコート、スクリーン印刷、ワイピングによる溝充填等の各種塗布方法により塗布して硬化させることにより形成できる。また、反射層３２は、レンズ面３８上に、アルミニウムや銀、ニッケル等の金属を蒸着する、スパッタリングする、又は金属箔を転写する等により形成することができる。本実施形態の反射層３２は、アルミニウムをレンズ面３８に蒸着することにより形成されている。
【００４８】
光吸収層３１は、レンズ層３３及び反射層３２の背面側に設けられ、光を吸収する作用を有している。本実施形態の光吸収層３１は、反射層３２及び非レンズ面３９を被覆しており、非レンズ面３９に光吸収層３１が形成された形態となっている。
【００４９】
光吸収層３１は、黒色等の暗色系の塗料や、黒色等の暗色系の顔料や染料及び光吸収作用を有するビーズ等を含有する熱硬化型樹脂もしくは紫外線硬化型樹脂を、反射層３２をレンズ面３８に形成したレンズ層３３の背面側（フレネルレンズ形状側）に塗布して硬化させることにより、形成される。
【００５０】
表面層３５は、基材層３４の映像源側（観察者側）に設けられる層である。本実施形態では、表面層３５は、この反射スクリーン３の映像源側の最表面に形成されている。表面層３５は、映像源側の表面に微細な凹凸形状を有している。この微細な凹凸形状は、微小凸部が複数不規則に配列されて形成されている。本実施形態の微小凸部は、緩やかな曲面からなる凸形状であり、球面の一部形状等も含まれる。なお、これに限らず、微小凸部は、断面形状が楔状や矩形等となるような形状としてもよい。この表面層３５は、反射スクリーン３の映像源側表面の傷つきを低減するハードコート機能と、上方への映像光の正反射を抑制して天井への映像の映りこみを低減する機能と、スクリーンへの映り込みを低減する機能（防眩機能）とを有している。この表面層３５は、その厚さが、１〜２５μｍ程度である。
【００５１】
この表面層３５は、基材層３４の一方の面に、ウレタンアクリレート等の紫外線硬化型樹脂を、微細凹凸形状を賦形可能な成形型（金型）に充填し、基材層３４の一方の面に押圧して紫外線を照射して硬化させ、離型する等により、微細凹凸形状が賦形可能である。
【００５２】
なお、紫外線硬化型樹脂に限らず、他の電離放射線硬化型樹脂等を用いてもよい。この表面層３５の微細凹凸形状を賦形する金型は、金属製の略平滑面である金型の表面を、ガラスビーズ等によりブラストすることにより形成される。なお、ブラスト材としては、ガラスビーズ以外にも、珪砂等の粉体や、アルミナ等の粒状物を用いることができる。また、ブラスト材としては、その平均粒径が５０μｍ以上３００μｍ以下程度であるものが好ましい。さらに、金型は、硬質銅や軟質銅、クロム製等であることが好ましく、例えば、金型の母材を硬質銅とし、その表面を、ブラスト加工した後クロムめっきして形成してもよい。
【００５３】
表面層３５は、基材層３４とは別層であって不図示の粘着材等により基材層３４に接合される形態としてもよいし、上述のように、基材層３４のレンズ層３３とは反対側の面に直接形成される形態としてもよい。
【００５４】
本実施形態の反射スクリーン３へ入射する映像光及び外光の様子を説明する。図４は、反射スクリーン３へ入射する映像光や外光の様子を説明する図である。図４では、反射スクリーン３の画面上下方向に平行であり、厚み方向に平行な断面の一部を拡大して示し、理解を容易にするために、反射スクリーン３の各層の屈折率差や光拡散層３４ｂの拡散作用等は省略して示している。
【００５５】
図４に示すように、映像源４から投影された大部分の映像光Ｌ１は、反射スクリーン３の下方から入射し、表面層３５及び基材層３４を透過してレンズ層３３の単位レンズ３３ａへ入射する。そして、映像光Ｌ１は、レンズ面３８へ入射して反射層３２によって反射され、観察者８側へ向かって反射スクリーン３から反射する。なお、角度β（図３（ｂ）参照）は、反射スクリーン３の画面上下方向の各点における映像光Ｌ１の入射角度よりも大きく、かつ、映像光Ｌ１が反射スクリーン３の下方から投射されるため、映像光Ｌ１が非レンズ面３９に直接入射することはなく、非レンズ面３９は、映像光Ｌ１の反射には影響しない。
【００５６】
一方、照明光等の不要な外光Ｇ１，Ｇ２は、図４に示すように、主として反射スクリーン３の上方から入射し、表面層３５及び基材層３４を透過してレンズ層３３の単位レンズ３３ａへ入射する。そして、一部の外光Ｇ１は、非レンズ面３９へ入射して、光吸収層３１によって吸収される。また、一部の外光Ｇ２は、レンズ面３８で反射して、主として反射スクリーン３の下方側へ向かうので、観察者８側には直接届かず、また、届いた場合にもその光量は、映像光Ｌ１に比べて大幅に少ない。従って、反射スクリーン３では、外光Ｇ１，Ｇ２による映像のコントラスト低下を抑制できる。
【００５７】
従って、本実施形態のような、反射スクリーン３を利用することで、天井面９に生じた映り込みに照明を当てた場合に、天井面９で反射した照明光が、スクリーンに到達したとしても、上部からの不要な外光Ｇ１，Ｇ２と同様にふるまうため、反射スクリーン３へ投影された映像の品位に対する影響は極めて軽微なもので済む。
【００５８】
さらに、反射スクリーンに下方から投影された映像光の一部には、反射スクリーンの映像源側の表面で反射する光が存在する。図４に示すように、反射スクリーン３の上方に到達してその表面で反射する光Ｌ２は、光Ｌ３のように反射スクリーン３の上方へ略正反射して天井面９等に到達する。照明装置２が設けられていない場合には、この光Ｌ３は、天井面９に映像が映り込こむ要因となり、映像の快適な視認の妨げとなる。反射スクリーン３が暗室環境下に配置されている場合や、投射された映像が動画である場合には、天井面９への映り込み部分の明るさが目立ったり、天井面９部分にぼんやりとした動画が視認されたりするため、観察者８にとって、反射スクリーン３に表示される映像を視認する際に、快適な視認の大きな妨げとなる。本実施形態は、この映り込み５０に対する対策を講じるものである。
【００５９】
反射スクリーン３は、その背面側に、筐体の平板状の支持板が、粘着材等からなる不図示の接合層を介して設けられており、この支持板により、その平面性を維持している。なお、これに限らず、反射スクリーン３は、不図示の枠部材等によって支持され、その平面性を維持する形態としてもよい。
【００６０】
［照明装置］
本実施形態において照明装置２は、少なくとも発光部２１を有しており、映像源４から反射スクリーン３に前記映像光が入射する角度と概ね等しい角度で反射する前記映像光によって生じる映り込み５０の少なくとも一部を照明可能に設けられており、且つ、観察者８及び反射スクリーン３の表示面を直接照明することがない様に設けられている。
【００６１】
上記のように、スクリーン筐体１に照明装置２を設け、映り込み５０に照明装置２の照明領域Ｓを重ねあわせることによって、映り込み５０に起因する映像は、認識し難くなる。従って、映像源４から投射される映像光が、動画であっても映り込み５０が動いていると認識することはなくなり、また、映像と認識されにくくなるため観察者８の気を引くことが無くなり、反射スクリーン３に投射された、映像のみに集中することが可能となり快適に鑑賞することが出来るようになる。
【００６２】
また、観察者８及び反射スクリーン３の表示面を直接照明することがない様に設けることで、観察者８が照明装置より照射される光をまぶしく感じることがなく、また、反射スクリーンに映し出された映像のコントラストの低下などの品質の低下を招くことがない。
【００６３】
発光部２１は、図１、図６、図７、図８においては理解しやすいように電球形状で記載しているが、本実施形態においては、発光するものであれば電球に限定されるものではない。本実施形態において発光部２１として使用できる発光デバイスとしては、蛍光灯、電球、冷陰極管、発光ダイオード（ＬＥＤ）や有機エレクトロルミネッセンス素子（ＯＬＥＤ）などを例示することが出来る。
【００６４】
本実施形態において照明装置２は、使用される発光デバイスに応じた電力供給装置や駆動回路を含むことが出来る。また、発光部２１から得られる光を光ファイバー、反射鏡、レンズ、プリズムなどを用いて分割、誘導する機能を有していてもよい。
【００６５】
照明装置２は、図５では、筐体上部の左右方向全体に設けられているように記載したが、任意の位置に一箇所、または、複数箇所にのみ設けてもよい。要は、映り込み５０のうち、スクリーンに近接しており、特に明瞭に画像が判別される部分N、すなわち、観察者８が特に気になる映り込み部分の映像が認識され難い程度となるために、十分な照明領域に十分な光量の照明光を当てることが出来ればよい。
【００６６】
また、本実施形態における照明装置２の発光部２１は、観察者８を直接照明することがないように設けられる必要がある。言い換えると、観察者８から照明装置２の発光部２１が直接視認できないように設ける必要がある。これは、観察者８から照明装置２の発光部２１が直接視認できる位置に設けられていると、観察者８は、スクリーン表面に映し出された映像を観察する際に、照明光が目に入りまぶしさのため映像に集中して快適に鑑賞することが妨げられる。
【００６７】
さらに、実施形態における照明装置２の発光部２１は、反射スクリーン３の表示面を直接照明することがないように、設ける必要がある。反射スクリーン３の表示面を直接照明する位置に設置すると、観察者８が、スクリーン表面に映し出された映像を観察する際に、スクリーン表面に照明装置からの照明光による映り込みのため映像に集中して快適に鑑賞することが妨げられる。
【００６８】
このような設置位置を実現するために、図５（ａ）、図６に記載したように、反射スクリーン３より背面側、且つ、観察者８から見て反射スクリーン３の影となって、発光部２１を目視できない位置に、発光部２１を設けることで、照明装置２は、観察者８、及び反射スクリーン３を直接照明することを防ぐことが出来る(第一の形態)。
【００６９】
すなわち、図５（ａ）、図６に記載したように、発光部２１が、反射スクリーン３より背面側となるように設けることで、照明光が直接、反射スクリーン３の表示面を照射することはない。また、観察者８から見て反射スクリーン３の影となって、発光部２１を目視できない位置に、発光部２１を設けることで、観察者８と発光部２１の間に反射スクリーンが介在することとなり、観察者８が直接発光部２１を目視してまぶしく感じることが回避できる。
【００７０】
また、本実施形態において、図５（ｂ）、図７に記載したように、照明装置２は、観察者８、及び反射スクリーン３を直接照明することを防ぐ目的で、発光部２１周辺に遮光性のフードを設けることで、照明装置２は、観察者８、及び反射スクリーン３を直接照明することを防ぐことが出来る(第二の形態)。
【００７１】
すなわち、図５（ｂ）、図７に記載したように、発光部２１の照明光が直接、反射スクリーン３の表示面を照射することはないように、また、観察者８から見て遮光フードの影となって、発光部２１を目視できないように発光部２１の周辺に遮光フードを設けることで、観察者８と発光部２１の間に遮光フードが介在することとなり、観察者８が直接発光部２１を目視してまぶしく感じることが回避できる。
【００７２】
このような第二の形態は、照明装置２(発光部２１)の設置位置の自由度化が向上すると共に、遮光フードの発光部２１側に反射機能を設けることで、発光部２１からの光を有効に活用できるメリットがある。
【００７３】
また、このように遮光フードを設ける第二の形態は、応用形態として図８に記載したように、反射スクリーン３を巻き取って収納するスクリーン収納部４１を有するスクリーン筐体１にも応用することが可能である。
【００７４】
［映像表示システム］
本実施形態において映像表示システム４０は、図１、図６、図７に図示されているように、少なくとも前記映像源４と、前記映像源４から投射された前記映像光を反射させて観察可能に表示する前記反射スクリーン３と前記照明装置２を備える。本映像表示システム４０においては、上述したように、照明装置２の発光部２１は、前記映像源４から前記反射スクリーン３に前記映像光が入射する角度と反射する角度が概ね等しい前記映像光によって生じる映り込み５０の少なくとも一部を照明可能に設けられており、且つ、前記観察者８及び前記反射スクリーン３の表示面を直接照明することがない様に設けられている。
【００７５】
本実施形態の映像表示システム４０は、映像源４から投影された映像光を反射スクリーン３が反射して、その画面上に映像を表示する一般的な映像表示システムである。なお、映像表示システム４０は、これに限らず、例えば、映像光を映像源４から投射するフロントプロジェクションテレビシステム等としてもよいし、反射スクリーン３と映像源４と反射スクリーンの観察画面上の入力部の位置を検出する位置検出部やパーソナルコンピュータ等を備えたインタラクティブボードシステムとしてもよい。
【００７６】
映像源４は、映像光を反射スクリーン３へ投射する装置であり、汎用の短焦点型プロジェクタ等を用いることができる。この映像源４は、使用状態において、反射スクリーン３の画面を法線方向（スクリーン面の法線方向）から見た場合に、反射スクリーン３の画面左右方向において中央であって、反射スクリーン３の画面（表示領域）よりも下方側となる位置に配置されている。なお、スクリーン面とは、この反射スクリーン全体として見たときにおける、反射スクリーンの平面方向となる面を示すものである。この映像源４は、反射スクリーン３の画面に直交する方向（反射スクリーン３の厚み方向）における反射スクリーン３との距離が、従来の汎用プロジェクタに比べて大幅に近い位置から映像光を投射できる。即ち、この映像源４は、従来の汎用プロジェクタに比べて、反射スクリーン３での投射距離が短く、その映像光の反射スクリーン３に対する入射角度も大きい。
【００７７】
更に具体的に、有効高さ１２４５ｍｍ、有効幅２２１４ｍｍの１００インチの反射スクリーン３について例示する。図１に記載したように、本実施形態の対象となる映像表示システム４０は、反射スクリーン３の上部に天井面９を有する場所に設置されている。床面から天井面までの距離は、３．０ｍである。
【００７８】
映像源４は、サンヨー社製  プロジェクタ  ＰＤＧ−ＤＷＬ２５００Ｊを用い、反射スクリーンの下端３７より低い位置に設けられ、反射スクリーンの下端３７から床面７までの寸法ｄ４＝０．６ｍであり、映像源４は映像光を投射する投射口が反射スクリーン３の左右方向中央から観察者８側にｄ１＝０．４４ｍ、反射スクリーン３の下端３７から下方へｄ２＝０．２８ｍの位置に配置されている。この時、反射スクリーン３の中心への映像光が画面上下方向において入射角６４度で入射する。
【００７９】
スクリーン筐体１は、上述した反射スクリーンと照明装置２を有している。
照明装置２の発光部２１は、白熱電灯を用い、反射スクリーン３の左右方向の中心の位置、表示面より背面側、且つ、前記反射スクリーンの上端３６より下側に設けられている。従って、白熱電灯より照射される照明光は、直接観察者８及び反射スクリーン３の表示面を照明することはない。また、観察者８からは、直接発光部２１である白熱電灯は目視できない。
【００８０】
照明装置２を発光させることなく、映像源４より動画の映像光を照射して反射スクリーン３の表面に映像を映し出すと、図２（ａ）に示した様に、映像源４から反射スクリーン３に映像光が入射する角度と概ね等しい角度で反射する映像光によって、天井面９に映り込み５０を生じた。この映り込み５０は、動画の映像光の変化を反映して動き、観察者８の注意を惹くものであった。
【００８１】
ここで、照明装置２を点灯させると、図２（ｂ）に示した様に、天井面９に生じていた映り込み５０の映像は、観察者８には映像とは認識することはできないものとなった。すなわち、観察者８には天井面９には、単に照明光が当たっているとの認識しかないため、もはや観察者８の注意を惹くものではなくなった。この際、照明光による反射スクリーンに映し出された映像の品位への影響は感じられなかった。
さらに、この時、室内の照明は切られていたにも関わらず、手元や足元が明るくなった。従って、簡単なメモであれば観察者８は映像を鑑賞しながらメモを取ることが可能であった。また、足元の状況を視認して室内を安全に移動することが可能であった。
【符号の説明】
【００８２】
１    スクリーン筐体
２    照明装置
３    反射スクリーン
４    映像源
７    床面
８    観察者
９    天井面
１１  定盤
２１  （照明装置の）発光部
３１  光吸収層
３２  反射層
３３  レンズ層
３３ａ  単位レンズ
３４  基材層
３４ａ  着色層
３４ｂ  光拡散層
３５  表面層
３６  反射スクリーンの上端
３７  反射スクリーンの下端
３８  レンズ面
３９  非レンズ面
４０  映像表示システム
４１  スクリーン収納部
５０  映り込み
Ｍ  観察者の視線
Ｓ  （照明装置の）照明領域
【図１】
2015212766.tif 000003
【図３】
2015212766.tif 000004
【図４】
2015212766.tif 000005
【図５】
2015212766.tif 000006
【図６】
2015212766.tif 000007
【図７】
2015212766.tif 000008
【図８】
2015212766.tif 000009
【図２】
2015212766.tif 000010